(57)【要約】      （修正有）【課題】建設現場において、作業員に社会保険の加入を促すことができる管理システムを提供する。【解決手段】各作業員９９０について保険の加入状況を登録する登録部と、管理区域の入退場口８０１に設置され、作業員９９０が着用する物または当該作業員が携帯する物の表面に形成された識別画像を撮像するカメラ２９１と、撮像された識別画像から作業員９９０を特定し、登録部を参照して特定された作業員９９０についての保険の加入状況を特定する特定部と、決定された加入状況が所定の基準を満たしていない場合、作業員９９０に対し報知を行うモニタ２８０と、を備える。【選択図】図１
0003194037.tif 000002
【実用新案登録請求の範囲】
【請求項１】
各作業者について保険の加入状況を登録する登録部と、
管理区域の入場口に設置され、作業者が着用する物または当該作業者が携帯する物の表面に形成された識別画像を撮像する撮像部と、
該撮像された識別画像から前記作業者を特定し、前記登録部を参照して該特定された作業者についての前記保険の加入状況を特定する特定部と、
該特定された加入状況が所定の基準を満たしていない場合、前記作業者に対し報知を行う報知部と
を備える管理システム。
【請求項２】
前記識別画像は、前記作業者が着用するヘルメットに貼り付けられる
ことを特徴とする請求項１に記載の管理システム。
【請求項３】
前記保険は複数種類の社会保険を含み、
前記加入状況は、複数種類の社会保険のそれぞれについての加入の有無を示し、
前記報知部は、前記加入状況に応じた内容の音声メッセージを放音する
ことを特徴とする請求項１または２に記載の管理システム。
【請求項４】
前記登録部は、各作業者の所属先を更に登録し、
前記報知部は、該特定された作業者の所属先に応じた内容の音声メッセージを放音する
ことを特徴とする請求項１ないし３のいずれか一つに記載の管理システム。
【請求項５】
前記報知部は表示部を備え、
前記管理区域内に居る作業者を示す情報を表示する
ことを特徴とする請求項１ないし４のいずれか一つに記載の管理システム。
【請求項６】
前記管理区域への入場を規制するゲートと、
該特定された加入状況が所定の基準を満たしていない場合、該特定された作業員が前記管理区域への入場ができないように、前記ゲートを制御する制御部と
を更に有することを特徴とする請求項１ないし５のいずれか一つに記載の管理システム。
【考案の詳細な説明】
【技術分野】
【０００１】
本考案は、作業員の状態を管理するシステム、特に建設現場において社会保険の加入状況を管理するシステムに関する。
【背景技術】
【０００２】
近年、建設現場等において作業に従事する者について、労働時間が適切か否か、法令等に基づく各種の保険制度に適切に加入しているかなど、労務の管理を厳格に行うことが求められている。例えば特許文献１には、作業区域の入退場口にカメラを設置して入場および退場した作業員を特定し、その入場時刻および退場時刻を記録して、記録した情報に基づいて労災保険の申告書類の作成を自動的に行うという技術がある。
【先行技術文献】
【特許文献】
【０００３】
【特許文献１】特開２０１３−１１７８２５号公報
【考案の概要】
【考案が解決しようとする課題】
【０００４】
特許文献１に記載の技術においては、各作業員の入退場時間を特定し、労災保険の申請を行う場合に必要な書類の作成を補助することができる。しかし、所定の保険に加入しているかを確認することや、未加入の者に対して加入を促すといったことはできない。
本考案は、作業員に保険の加入を促すことを目的とする。
【課題を解決するための手段】
【０００５】
本考案は、一の態様において、各作業者について保険の加入状況を登録する登録部と、管理区域の入場口に設置され、作業者が着用する物または当該作業者が携帯する物の表面に形成された識別画像を撮像する撮像部と、該撮像された識別画像から前記作業者を特定し、前記登録部を参照して該特定された作業者についての前記保険の加入状況を特定する特定部と、該特定された加入状況が所定の基準を満たしていない場合、前記作業者に対し報知を行う報知部とを備える管理システムを提供する。
好ましい態様において、前記識別画像は前記作業者が着用するヘルメットに貼り付けられる。
好ましい態様において、前記保険は複数種類の社会保険を含み、前記加入状況は複数種類の社会保険のそれぞれについての加入の有無を示し、前記報知部は前記加入状況に応じた内容の音声メッセージを放音する。
好ましい態様において、前記登録部は各作業者の所属先を更に登録し、前記報知部は、作業者の所属先に応じた内容の音声メッセージを放音する。
好ましい態様において、前記報知部は表示部を備え、前記管理区域内に居る作業者を示す情報を表示する。
好ましい態様において、前記管理区域への入場を規制するゲートと、該決定された加入状況が所定の基準を満たしていない場合、該特定された作業員が前記管理区域への入場ができないように、前記ゲートを制御する制御部とを更に有する。
【考案の効果】
【０００６】
本考案によれば、必要な作業員に対して保険への加入が促される。
【図面の簡単な説明】
【０００７】
【図１】入退場管理システム１００の概要を示す図。
【図２】(a)はシール１１０をヘルメット９００に貼付した例を示す図、(b)はシール１１０の外観を示す図。
【図３】入退場管理システム１００の機能図。
【図４】保険管理データベースＴ４に記憶される情報の例を示す図。
【図５】作業員管理テーブルＴ１に記憶される情報の例を示す図。
【図６】入退場管理テーブルＴ２に記憶される情報の例を示す図。
【図７】報知制御テーブルＴ３に記憶される情報の例を示す図。
【図８】画面Ｓ１に表示される情報の例を示す図。
【図９】画面Ｓ１に表示される情報の例を示す図。
【図１０】画面Ｓ１に表示される情報の例を示す図。
【考案を実施するための形態】
【０００８】
図１は入退場管理システム１００の概要を示す。入退場管理システム１００は、端末２００および管理サーバ３００を含む。
端末２００は、入退場口８０１、通路８０２を有する現場に設置される。作業員９９０は、通路８０２を通って入退場口８０１から作業現場（作業員のみが立ち入りを許された管理区域）への入場および当該現場からの退場を行う。端末２００は、モニタ２８０およびタブレット端末２９０を含む。モニタ２８０は、液晶ディスプレイ等の表示装置であり、タブレット端末２９０と接続されている。入場時に作業員９９０に目視しやすい位置に設定される。タブレット端末２９０は、カメラ２９１を含み、少なくとも、撮像機能と放音機能と通信機能とを含むコンピュータ端末（例えばタブレット端末）である。端末２００はインターネット５００を介して管理サーバ３００と接続される。
管理サーバ３００は、建設会社や商社等によって運用され、加入状況の登録、更新、編集、外部端末からの要求に応じた情報の提供を行うサーバである。
【０００９】
図２は、各作業員９９０が自分専用のものとして着用するヘルメット９００を示す。ヘルメット９００は、管理区域に入る際に着用が義務づけられているものである。(領域Ａ)に示すように、ヘルメット９００には、シール１１０が貼り付けられている。シール１１０はシート状で、印刷等によって、表面にカラーコード１２０が形成されている。カラーコード１２０は、複数のブロック１２１によって構成される。各ブロック１２１は、予め定められた複数の色のうちのいずれか一色で形成される。予め定められた複数の色とは、例えば、ブラック、シアン、マゼンダ、イエローの４色である。あるいは、これらの色に加えて、例えばグリーン、レッド、ブルー、オレンジを用いてもよい。用いる色、色の数、ブロック１２１の数は、管理対象の作業員９９０の数や画像読み取り精度等に応じて設定することができる。
この配色の組み合わせは、シール１１０毎に異なる。すなわち、各作業員９９０が着用するヘルメット９００にはそれぞれシール１１０が貼り付けられるが、配色パターンは作業員ごとに異なり、これによって、各作業員が一意に特定できるようになっている。
【００１０】
図３は入退場管理システム１００の機能を示す。まず、管理サーバ３００について説明する。管理サーバ３００は、通信ＩＦ３０１、入力部３０２、記憶部３０３、制御部３０９を含む。通信ＩＦ３０１は、Ethernet（登録商標）アダプタやWi-Fi通信モジュールなどによって実現され、端末２００と情報の授受を行う。入力部３０２は、キーボードやマウス等の情報を入力する手段である。入力された情報は、保険管理データベースＴ４に記憶される。制御部３０９は、ＣＰＵ等のプロセッサやＲＡＭ等のメモリによって実現され、個人を一意に識別するＩＤ（以下単にＩＤという）を含む照会要求を端末２００から受けると、保険管理データベースＴ４を参照して、そのＩＤに対応する属性情報および加入状況情報を読み出して端末２００に送信する。記憶部３０３は、ハードディスクや半導体メモリであって、保険管理データベースＴ４を格納する。
【００１１】
図４は保険管理データベースＴ４に記憶される情報の例を示す。保険管理データベースＴ４には、ＩＤに対応付けて、氏名、属性情報として所属先の企業（所属先がない場合も含む）、保険の加入状況を示す情報、およびその他の情報が登録される。保険の加入状況とは、健康保険、年金雇用保険といった各種保険のそれぞれに加入しているか否かを示す情報である。その他の情報としては、作業員９９０の労務管理に関係する情報であって、例えば最後に受けた健康診断の日などを含む。同図では、ＩＤが０１２３４の人は、雇用主がＸＹＺ建設で、健康保険および年金保険には加入しているが、雇用保険に加入していないということを表す。各作業員９９０についての属性情報および加入状況情報は、入力部３０２を介して予め保険管理データベースＴ４に登録される。
【００１２】
図３に戻り、端末２００について説明する。端末２００は、報知部２０１、撮像部２０２、通信ＩＦ２０５、記憶部２０６、および制御部２０９を含む。撮像部２０２は、レンズ等の光学系や撮像素子を有するカメラであって、所定の範囲（入退場口８０１の周辺の空間）を常時撮像し、得られた画像データを制御部２０９に出力する。
報知部２０１は放音部２０３および表示部２０４を含む。放音部２０３は、スピーカ、アンプ、音声信号処理回路などによって実現され、制御部２０９から受信した制御信号および音響信号に基づいて放音を行う。表示部２０４は、液晶パネルや駆動回路によって実現され、制御部２０９から映像信号を受信すると画像を表示する。表示部２０４は、この例では、モニタ２８０の表示画面とタブレット端末２９０の表示画面として実装される。一の態様において、両画面には同一の内容が表示される。ただし、いずれか一方の表示画面を機能させないようにしてもよい。あるいは、一つのコンテンツをモニタ２８０とタブレット端末２９０の２つの画面を協働させて表示させてもよい。
通信ＩＦ２０５はEthernetアダプタやWi-Fi通信モジュールによって実現され、管理サーバ３００と情報の授受を行う。記憶部２０６は、ハードディスクや半導体メモリであって、作業員管理テーブルＴ１、入退場管理テーブルＴ２、および報知制御テーブルＴ３が格納される。
【００１３】
図５は、作業員管理テーブルＴ１に記憶される情報の例を示す。作業員管理テーブルＴ１には、コードバターンとＩＤとが対応付けて記憶されている。コードバターンとは、所定のアルゴリズムを用いて、画像認識処理によって特定されたカラーコード１２０の配色パターンを符号化した値である。
【００１４】
図６は、入退場管理テーブルＴ２に記憶される情報の例を示す。入退場管理テーブルＴ２には、各作業員について、入場の有無および退場の有無を示す情報が記憶される。同図の例では、ＩＤ「０１３５９」の作業員について、入場を確認したが退場を確認していない状態（すなわち、管理区域内に滞在中と推定）にあることを示す。ＩＤ「０９５７０」の作業員については、入場したが既に退場していること、ＩＤ「０２５８０」の作業員については、現在までのところ入場も退場もしていないことを示す。
【００１５】
図７は、報知制御テーブルＴ３に記憶される情報の例を示す。報知制御テーブルＴ３は、所属先の分類に対応付けて、適用される条件の内容と、加入状況が当該条件を満たす場合と満たさない場合のそれぞれについて、実行すべき報知動作の内容（何も報知しない場合も含む）を記述したものである。
例えば、作業員９９０が一次会社の社員であって所定の条件（条件１）を満たさない場合は、「入場できません」という合成音声が放音される。一方、二次会社の社員が条件を満たさない場合は、「社会保険に加入してください」という音声メッセージが、法人に所属していない作業員が条件を満たさない場合は、「社会保険に加入してください」との音声メッセージがそれぞれ放音される。いずれの所属先の場合でも、加入条件を満たしている場合は何も報知されない。すなわち、加入が必要な作業員のみに報知がなされる。なお、報知される音響波は音声メッセージに限らず、音声メッセージとともにまたは音声メッセージに変えて、警告音を用いてもよい。
【００１６】
なお、同図の例において、「一次会社」とは、例えば上記管理区域を設定・管理する法人との間で交された直接的な契約に基づいて作業を行う企業を、「二次会社」とは上記一次会社との間の契約に基づいて作業を行う一次会社の系列会社や一次会社の下請け（孫請け）企業を、「個人」とは所属法人が存在しない者（自営業者）をそれぞれ意味する。上述した所属の区分の定義については、一例であって、担当する作業の内容や有する責任等に基づいて区分を設定してもよい。
また、「条件」とは、保険の加入に関して予め策定された基準であり、例えば健康保険、年金保険、雇用保険の全てについて加入しているか否か、あるいは上記健康保険のうち少なくとも一つに加入しているか否かなどである。また、この条件は、所定の保険への加入／非加入の別以外の情報のほか、加入が義務なのか、義務ではないが奨励されているのか、全くの任意なのか、などの強制性（任意性）によって定義されてもよい。この場合、例えば、加入が強制ではなく奨励されているにすぎない場合は、実態が未加入でも条件が充足されていると判定する。
【００１７】
このように、所属先等の作業者の属性に応じた加入条件を設定可能にすることで、報知を行うか否かの判断を、法令や労務管理ポリシーの変更などに応じて柔軟に対応することができる。また、属性に応じて報知内容を変更可能にすることで、作業員９９０に与える影響力（強制力）の程度を細かく制御することができる。
なお、所属先の分類を決定するには、例えば、記憶部２０６において、一次会社の企業名を予め登録しておき、管理サーバ３００から取得した所属先が登録されている場合は「二次会社」に分類し、登録されていない場合または「個人」として登録されている場合は、「個人」に分類すればよい。
【００１８】
制御部２０９は、ＣＰＵ、画像処理プロセッサ、音響処理プロセッサなどの各種プロセッサやＲＡＭ等のメモリによって実現される。制御部２０９は、撮像部２０２から画像データを受けとると、画像解析を行ってカラーコード１２０を表す画像が含まれていないかを随時監視し、カラーコード１２０を表す画像を検出すると、作業員管理テーブルＴ１を参照してコードバターンを特定し、対応付けられたＩＤを特定する。なお、一つの画像に複数のコードバターンを抽出した場合（典型的には、２人以上の作業員９９０が接近して入退場口８０１付近を通過した場合）、検知した複数のコードバターンの各々についてＩＤを特定する。
【００１９】
加えて、制御部２０９は、特定したＩＤの作業員９９０が入場したか退場したか否かを判定する。作業員９９０がこれから入場するのか退場したのかを判別する方法については、例えば、検知時刻に基づいて行う。具体的には、同一ＩＤについて、一日のうちでより早い時刻（初回）に検知したときを入場、二回目に検知したときを退場であると判定する。あるいは、連続的に撮像された画像（動画）を解析することによって、作業員９９０の移動方向を判定する。あるいは、モニタ２８０がタブレット端末である場合は、タッチパネル等の入力手段を用いて作業員９９０に入場なのか退場なのかを入力させてもよい。全ての作業員９９０についての入場／退場の判定結果情報は、入退場管理テーブルＴ２に記憶される。
【００２０】
また、制御部２０９は、報知制御テーブルＴ３を参照して、特定したＩＤを含む要求を管理サーバ３００に送信する。この要求に対する応答として、管理サーバ３００から属性情報と加入状況情報とを受信すると、制御部２０９はその作業員９９０の所属先に対応する加入条件が満たされているか否かを判定し、判定結果に応じて報知部２０１の報知動作を決定し、必要に応じて当該動作が実現するように報知部２０１に制御信号（表示部２０４に対する画像信号や放音部２０３に対する制御信号）を出力する。
【００２１】
このように、端末２００において、作業員９９０が通過するたびに個人が特定され、管理サーバ３００から属性情報や加入状況が取得され、取得した属性情報や加入状況に基づいて、表示処理および報知処理が行われる。
【００２２】
図８〜図１０を用いて、報知内容の例を説明する。
図８は、モニタ２８０に表示される画面Ｓ１の例を示す。画面Ｓ１は、領域Ａ１、領域Ａ２、領域Ａ３、および領域Ａ４で構成される。領域Ａ１には撮像した画像が表示される。領域Ａ２には、登録した作業員９９０全ての入退場の状況に関する情報が表示される。具体的には、登録した作業員の各人に対応して、氏名が表示された長方形オブジェクト（Ｃ）が表示される。各オブジェクトは、入場中、退場済み、未入場という３つの状態のいずれかに応じた色で表示される。領域Ａ３には、加入の状況に応じたメッセージが表示される。領域Ａ４には、上段に検知した作業員９９０の加入状況その他の情報が表示され、その下段には所属先が要請する加入条件が表示される。
【００２３】
図８〜１０は、異なる３人の作業員９９０を検知した場合に実行される報知の例である。
図８の例では、この作業員９９０の所属先（二次会社に分類されている）は、健康保険、年金保険および雇用保険のそれぞれについて加入が推奨されている。一方、この作業員９９０の各保険への加入の実態は、それぞれ、「加入」、「未加入」、「加入」となっている。よって、二次会社についての加入条件は満たされていると判定される。この結果、この作業員９９０に対して加入を促すための報知動作は実行されない。領域Ａ３には、入場が端末２００にて確認されたことを伝えるメッセージが表示される。
【００２４】
一方、図９の作業員９９０（一次会社に所属）の場合、年金保険および雇用保険に未加入であるため、一次会社に分類される所属先の加入条件を満たしていないと判定される。この結果、管理区域内に入場できないことを示すメッセージが領域Ａ３に表示されるとともに、放音部２０３から、一次会社の作業員が条件を満たしていない場合として予め定められた音声メッセージが放音される。
【００２５】
図１０の作業員９９０の場合は、所属先である「個人」について設定されている加入条件が満たされていると判定される。ただし、この例では、他の保険にも加入したほうが好ましいという労務管理ポリシーの下、入退場管理システム１００においてこの人についても他の保険の加入を促すように設定されている。この結果、端末２００において、入場は認めるが保険加入を促すようなメッセージが領域Ａ３に表示されるとともに、加入を柔らかく促すような音声メッセージが放音される。
なお、領域Ａ３に表示されるメッセージと音声メッセージとは必ずしも同内容である必要はない。
【００２６】
上記の実施例においては、監視対象の作業員９９０個々の加入状況に応じて、必要な者に対してのみ加入を促すことができる。従って、報知が不要な者の気分を害すことがない。また、加入状況のチェックは作業員が必ず通る入退場口で自動的に行われるので、入退場の管理と合わせて、報知を確実に行うことができる。また、監視対象の数だけ画像を容易してヘルメットに貼り付ければよいので、例えば無線通信タグを対象者に携帯させることよって個人の特定を行う場合に比べて、監視対象の数によらず、安価でシステムを構築することができる。また、所属先や加入状況に応じて的確な報知が行われる。
【００２７】
入退場管理システム１００の機能をハードウェアに実装させる方法において、上記実施例の構成は一例にすぎない。例えば、管理サーバ３００の機能を端末２００に統合し、入退場口のみにハードウェアを設置する。こうすれば、通信回線を介して加入情報を照会する時間を短縮することができる。あるいは、作業員管理テーブルＴ１、入退場管理テーブルＴ２、報知制御テーブルＴ３、および保険管理データベースＴ４の少なくともいずれか一つを記憶する記憶装置を、それぞれネットワークを介して接続された異なるコンピュータに設置してもよい。また、撮像機能や放音機能はそれぞれ端末２００と別途独立に設置したカメラおよびスピーカユニットによって提供されてもよい。また、個人を識別する情報に加えて、所属先や加入状況などの情報をカラーコード１２０に内包させてもよい。
要は、本技術の管理システムは、各作業者について保険の加入状況を登録する登録手段と、管理区域の入場口または退場口に設置され、作業者が着用する物または当該作業者が携帯する物の表面に形成された識別画像を撮像する撮像手段と、該撮像された識別画像から前記作業者を特定する第１特定手段と、前記登録手段を参照し、該特定された作業者についての前記保険の加入状況を特定する第２特定手段と、該決定された加入状況が所定の基準を満たしていない場合、前記作業者に対し報知を行う報知手段とを備えていればよい。
【００２８】
管理区域内への入場および管理区域内からの退場の少なくともいずれか一方を規制するゲート装置を入退場管理システム１００に設け、制御部２０９における加入状況の照合結果に基づいて当該ゲート装置を制御してもよい。この場合、図９に示すような場合は、入場できないというメッセージとともに、ゲートを閉じて強制的に入場ができないような制御が行われる。照合結果から、少なくとも入場を許容できる場合は、当該ゲートを開ける。
【００２９】
上述した保険の加入状況は例示である。本技術は、保険の内容、性質、種類数、社会保険の定義などには関係なく、適用することができる。同様に、加入条件の設定方法や、加入情報を満たしているか否かの基準、表示メッセージまたは音声メッセージその他の報知の内容については、上述した例に限らない。例えば、加入強制力（「必須」、「推奨」、「任意」）を保険の種類ごとに異ならせてもよい。要は、加入状況や管理ポリシー等に応じて、必要な作業員に対して加入促進効果が最大限発揮されるように、上記の条件、基準、報知内容等を設定すればよい。
【００３０】
図８〜１０に示した画面構成は一例にすぎない。例えば、領域Ａ１〜領域Ａ４のうち、領域Ａ１、領域Ａ２については省略してもよい。この場合、さらに入退場管理テーブルＴ２を省略し、入退場の管理を端末２００で行わなくてもよい。つまり、本技術は入退場管理とセットで行う必要はない。
【００３１】
各作業者を識別するための画像や形態、当該画像の貼付位置、およびカメラの位置について、上記の実施例は一例である。ヘルメットではなく作業着や肌（身体）の一部に画像を形成してもよい。例えば、自分専用のヘルメットを所有していない作業者の場合は、個人を特定できるシール１１０を発行する。そして、この作業者については管理区域内に入場する際にこのコードが印刷されたカードを携帯させ、端末２００を用いてカメラ２９１の方向にカードをかざすように促してもよい。
要するに、本技術においては、作業員とともに移動し各作業員を特定できる画像が、撮像手段に検知可能な空間を通過するようになっていればよい。例えば、識別コードの貼付位置や作業員の姿勢等によって正常な読み取りができなかった場合は、作業員に立ち止まって、撮像手段（の撮像範囲）とカラーコードとが所定の位置関係となるように、立ち止まるまたはカメラ正面にコードをかざすなどの行動をとるよう作業員に促してもよい。
【符号の説明】
【００３２】
１００・・・入退場管理システム、２００・・・端末、３００・・・管理サーバ、２０１・・・報知部、２０２・・・撮像部、２０３・・・放音部、２０４・・・表示部、２０５・・・通信ＩＦ、２０６・・・記憶部、２０９・・・制御部、３０１・・・通信ＩＦ、３０９・・・制御部、３０３・・・記憶部、３０２・・・入力部、１２１・・・ブロック、１２０・・・カラーコード、９００・・・ヘルメット、９９０・・・作業員、１１０・・・シール、５００・・・インターネット、８０１・・・入退場口、８０２・・・通路、２８０・・・モニタ、２９０・・・タブレット端末、２９１・・・カメラ
【図１】
0003194037.tif 000003
【図２】
0003194037.tif 000004
【図３】
0003194037.tif 000005
【図４】
0003194037.tif 000006
【図５】
0003194037.tif 000007
【図６】
0003194037.tif 000008
【図７】
0003194037.tif 000009
【図８】
0003194037.tif 000010
【図９】
0003194037.tif 000011
【図１０】
0003194037.tif 000012